(57)【要約】【課題】本発明は新型なワークのクランプにおける治具部品を開示した。【解決手段】前記本体の頂部の左側と中間に第１の取付け座及び第２の取付け座がそれぞれ固定接続され、前記第１の取付け座及び前記第２の取付け座の中に横方向移動ねじ棒が水平に穿設され、前記横方向移動ねじ棒の左側に横方向移動ハンドルが固定接続され、前記横方向移動ねじ棒に頂板及び第１のＶ型ブロック取付け座がねじ結合して接続され、前記頂板は前記第１のＶ型ブロック取付け座に固定接続されて前記本体の頂端と摺動接触され、前記第１のＶ型ブロック取付け座に第１のＶ型ブロックが固着され、前記治具本体には前記第１のＶ型ブロックと面一になる第２のＶ型ブロックが固定接続され、前記治具本体内に弧状締付部が設けられている新型なワークのクランプにおける治具部品を開示し、様々な外円柱類ワーク系に適用され、実用性に優れている。【選択図】図１
2019188584.tif 000002
【特許請求の範囲】
【請求項１】
本体と前記本体の頂部の右側に設置された治具本体とを含む新型なワークのクランプにおける治具部品であって、前記本体の頂部の左側と中間に第１の取付け座及び第２の取付け座がそれぞれ固定接続され、前記第１の取付け座及び前記第２の取付け座の中に横方向移動ねじ棒が水平に穿設され、前記横方向移動ねじ棒の左側に横方向移動ハンドルが固定接続され、前記横方向移動ねじ棒には前記第１の取付け座と前記第２の取付け座の中間にある頂板及び第１のＶ型ブロック取付け座がねじ結合して接続され、前記頂板は前記第１のＶ型ブロック取付け座に固定接続されて前記本体の頂端と摺動接触され、前記第１のV型ブロック取付け座に第１のV型ブロックが固着され、前記治具本体には前記第１のV型ブロックと面一になる第２のV型ブロックが固定接続され、前記本体内には水平に展延した第１のガイドスライド溝が設けられ、前記治具本体内には左右対称に配置された弧状レール溝が設けられ、前記弧状レール溝の底部内壁内にはそれと連通するとともにそれに沿って展延した歯車レール溝が連通して設けられ、前記弧状レール溝の後端内壁には連動体チャンバーが連通して設けられ、前記連動体チャンバーの底部末端は前記第１のガイドスライド溝の頂部内壁に連通し、前記第１のガイドスライド溝内には左右対称に配置された第１のガイドスライドブロックが摺接され、前記第１のガイドスライドブロック内に六角回転軸チャンバーが垂直に穿設され、前記第１のガイドスライドブロック内には前記六角回転軸チャンバーを水平に貫通するウォームホイールチャンバーが設けられ、前記ウォームホイールチャンバー内には雌六角ウォームホイールが回転結合して接続され、前記雌六角ウォームホイール内には前記ウォームホイールチャンバーにあって垂直に展延した六角回転軸が摺接され、前記六角回転軸の頂部の展延した末端が前記連動体チャンバー内に伸び込み、前記第１のガイドスライド溝内には前記第１のガイドスライドブロックを貫通するとともに前記雌六角ウォームホイールの後端にあってそれと伝動接続されて水平に展延した第１のウォームが設けられ、前記第１のウォームの左端末端に締付ハンドルが固定接続され、前記弧状レール溝内に第３のガイドスライドブロックが摺接され、前記第３のガイドスライドブロックの底部端面内に前記歯車レール溝へ開口する凹形溝が設けられ、前記凹形溝内に前後に展延した第１の回転軸が回動結合して接続され、前記第１の回転軸には前記歯車レール溝と伝動接続するための歯形ギヤが設けられ、前記第１の回転軸の後端の展延した末端が前記第３のガイドスライドブロックの後端端面を貫通して前記連動体チャンバー内に伸び込み、前記第１の回転軸には前記連動体チャンバー内にある連動体が回転結合して接続され、前記第３のガイドスライドブロックの前記治具本体の中心線から離れた端に弧状締付部が固定接続され、前記弧状締付部の前記治具本体の中心から離れた端が前記治具本体の対応する端面を貫通し、前記連動体内に連動チャンバーが設けられ、前記第１の回転軸は前記連動チャンバーを貫通しかつその内部にある部分に連動ウォームホイールが設けられ、前記連動体の底部内壁体内には前記連動ウォームホイールの左端にあってそれと伝動接��されて垂直に展延した第２のウォームが回転結合して接続され、前記第２のウォームの底部末端が前記連動体の底部端面に伸び込んで前記六角回転軸の頂部端面に固定接続されていることを特徴とする新型なワークのクランプにおける治具部品、前記第１のガイドスライドブロックは前記第１のウォームに締まり嵌めて接続されていることを特徴とし、前記第１のウォームの中心の両端のねじ山の回転方向が反対であることを特徴とし、前記第１のウォーム、前記第２のウォーム及び前記横方向移動ねじ棒は自動ロック条件を満たしていることを特徴とし、前記第１のガイドスライドブロックが互いに反対して移動する場合は、前記弧状締付部が前記弧状レール溝内から滑り出すが、前記第１のガイドスライドブロックが互いに対向して移動する場合は、前記弧状締付部が前記弧状レール溝内に滑り込むことを特徴とする新型なワークのクランプにおける治具部品。
【発明の詳細な説明】
【技術分野】
【０００１】
本発明は治具の技術分野に関し、具体的には新型なワークのクランプにおける治具部品に関する。
【背景技術】
【０００２】
科学技術の発展や社会の進歩につれて、わが国は先端技術の発展を推し進めつつあり、治具分野においては、一般的な外円柱類ワークの治具に三つ爪チャック又はＶ型ブロックと締付機構とを組み合わせたものが多く、三つ爪チャックはサイズが大きく、大径や長いワークをクランプし難く、Ｖ型ブロックは締付機構との組み合せの構造が複雑で、操作し難いという厄介な技術的問題が存在しているが、この問題をこの装置が効果的に解決した。
【先行技術文献】
【特許文献】
【０００３】
【特許文献１】中国特許出願公開第106826287号明細書
【発明の概要】
【発明が解決しようとする課題】
【０００４】
本発明の解決しようとする技術的問題は上述した従来技術における問題を解決することができる新型なワークのクランプにおける治具部品を提供することである。
【課題を解決するための手段】
【０００５】
本発明は下記の技術的手段により実現される。本発明による新型なワークのクランプにおける治具部品は、本体と前記本体の頂部の右側に設置された治具本体とを含み、前記本体の頂部の左側と中間に第１の取付け座及び第２の取付け座がそれぞれ固定接続され、前記第１の取付け座及び前記第２の取付け座の中に横方向移動ねじ棒が水平に穿設され、前記横方向移動ねじ棒の左側に横方向移動ハンドルが固定接続され、前記横方向移動ねじ棒には前記第１の取付け座と前記第２の取付け座の中間にある頂板及び第１のＶ型ブロック取付け座がねじ結合して接続され、前記頂板は前記第１のＶ型ブロック取付け座に固定接続されて前記本体の頂端と摺動接触され、前記第１のＶ型ブロック取付け座に第１のＶ型ブロックが固着され、前記治具本体には前記第１のＶ型ブロックと面一になる第２のＶ型ブロックが固定接続され、前記本体内には水平に展延した第１のガイドスライド溝が設けられ、前記治具本体内には左右対称に配置された弧状レール溝が設けられ、前記弧状レール溝の底部内壁内にはそれと連通するとともにそれに沿って展延した歯車レール溝が連通して設けられ、前記弧状レール溝の後端内壁には連動体チャンバーが連通して設けられ、前記連動体チャンバーの底部末端は前記第１のガイドスライド溝の頂部内壁に連通し、前記第１のガイドスライド溝内には左右対称に配置された第１のガイドスライドブロックが摺接され、前記第１のガイドスライドブロック内に六角回転軸チャンバーが垂直に穿設され、前記第１のガイドスライドブロック内には前記六角回転軸チャンバーを水平に貫通するウォームホイールチャンバーが設けられ、前記ウォームホイールチャンバー内には雌六角ウォームホイールが回転結合して接続され、前記雌六角ウォームホイール内には前記ウォームホイールチャンバーにあって垂直に展延した六角回転軸が摺接され、前記六角回転軸の頂部の展延した末端が前記連動体チャンバー内に伸び込み、前記第１のガイドスライド溝内には前記第１のガイドスライドブロックを貫通するとともに前記雌六角ウォームホイールの後端にあってそれと伝動接続されて水平に展延した第１のウォームが設けられ、前記第１のウォームの左端末端に締付ハンドルが固定接続され、前記弧状レール溝内に第３のガイドスライドブロックが摺接され、前記第３のガイドスライドブロックの底部端面内に前記歯車レール溝へ開口する凹形溝が設けられ、前記凹形溝内に前後に展延した第１の回転軸が回動結合して接続され、前記第１の回転軸には前記歯車レール溝と伝動接続するための歯形ギヤが設けられ、前記第１の回転軸の後端の展延した末端が前記第３のガイドスライドブロックの後端端面を貫通して前記連動体チャンバー内に伸び込み、前記第１の回転軸には前記連動体チャンバー内にある連動体が回転結合して接続され、前記第３のガイドスライドブロックの前記治具本体の中心線から離れた端に弧状締付部が固定接続され、前記弧状締付部の前記治具本体の中心から離れた端が前記治具本体の対応する端面を貫通し、前記連動体内に連動チャンバーが設けられ、前記第１の回転軸は前記連動チャンバーを貫通しかつその内部にある部分に連動ウォームホイールが設けられ、前記連動体の底部内壁体内には前記連動ウォームホイールの左端にあってそれと伝動接続されて垂直に展延した第２のウォームが回転結合して接続され、前記第２のウォームの底部末端が前記連動体の底部端面に伸び込んで前記六角回転軸の頂部端面に固定接続されている。
【０００６】
好ましい技術的手段として、前記第１のガイドスライドブロックは前記第１のウォームに締まり嵌めて接続されている。
【０００７】
好ましい技術的手段として、前記第１のウォームの中心の両端のねじ山の回転方向が反対である。
【０００８】
好ましい技術的手段として、前記第１のウォーム、前記第２のウォーム及び前記横方向移動ねじ棒は自動ロック条件を満たしている。
【０００９】
好ましい技術的手段として、前記第１のガイドスライドブロックが互いに反対して移動する場合は、前記弧状締付部が前記弧状レール溝内から滑り出すが、前記第１のガイドスライドブロックが互いに対向して移動する場合は、前記弧状締付部が前記弧状レール溝内に滑り込む。
【００１０】
本発明の有益な効果は下記の通りである。本発明の機器は初期状態にある場合に、前記頂板及び前記第１のＶ型ブロックが最も左側に位置し、２つの前記第１のガイドスライドブロックが互いに接触して前記第１のガイドスライド溝の中心位置にあり、前記第３のガイドスライドブロックが前記弧状レール溝の前記治具本体の中心に近い端にあり、この場合に、前記弧状締付部が完全に前記弧状レール溝内にあり、メンテナンスとクリーニングが便利である。
【００１１】
本発明の機器は円柱形ワークをクランプする時に、第１のステップではワークを位置決め、前記横方向移動ハンドルを回動し、前記頂板及び前記第１のＶ型ブロックを右へ移動させ、ワークを前記第１のＶ型ブロック及び前記第２のＶ型ブロックにセットし、ワークを刃物に対して適当に位置付け、ワークの末端を前記頂板の右端と緊密に接触させ、操作が便利になり、様々なワーク系に適用される。
【００１２】
第２のステップではワークを締め付け、前記締付ハンドルを回動して前記第１のウォームの回転を駆動し、前記第１のウォームにより前記雌六角ウォームホイールの回転を駆動し、前記雌六角ウォームホイールにより前記六角回転軸の回転を駆動し、その結果、前記第１の回転軸の回転を駆動することができ、前記第１の回転軸により前記歯形ギヤの回転を駆動し、前記第３のガイドスライドブロックを中間から離れるように移動させ、前記六角回転軸が前記雌六角ウォームホイール内を上下に摺動自在であることで、前記弧状締付部を前記弧状レール溝から滑り出させることができ、２つの前記弧状締付部を組み合わせることによりワークを次第に締め付け、前記弧状締付部がワークを完全に締め付けると、前記締付ハンドルの回動を停止させ、自動ロック機能により、前記弧状締付部をワーク締付状態のままにするが、クランプ効果が向上し、実用性に優れている。
【００１３】
ワークを取り外す必要がある場合には、前記締付ハンドルを逆方向に回動し、前記第１のウォームを逆方向に回転させ、その結果、前記第１の回転軸の回転を駆動することができ、前記第１の回転軸により前記歯形ギヤの回転を駆動し、前記第３のガイドスライドブロックを中間へ移動させ、前記弧状締付部を前記弧状レール溝に滑り込ませ、最後に前記弧状締付部を前記弧状レール溝に完全に収容し、この場合に、ワークを取り出し、前記横方向移動ハンドルを逆方向に回動し、前記頂板及び前記第１のＶ型ブロックを左へ移動させ、装置を初期状態に復元するが、実用性に優れ、操作が容易である。
【００１４】
本発明の機器は構造が簡単であり、Ｖ型ブロック及び頂板を用いることによりワークが位置決めされ、収容可能な弧状締付部によりワークが締め付けられ、クランプ操作が容易で、ワークの長さに応じて頂板の位置を調整することができ、様々な外円柱類ワーク系に適用され、実用性に優れ、良いクランプ効果がある。
【発明の効果】
【００１５】
本発明の機器は構造が簡単であり、Ｖ型ブロック及び頂板を用いることによりワークが位置決めされ、収容可能な弧状締付部によりワークが締め付けられ、クランプ操作が容易で、ワークの長さに応じて頂板の位置を調整することができ、様々な外円柱類ワーク系に適用され、実用性に優れ、良いクランプ効果がある。
【図面の簡単な説明】
【００１６】
説明の便宜上、本発明を下記の具体的な実施例及び図面により詳しく説明する。
【００１７】
【図１】図１は本発明による新型なワークのクランプにおける治具部品の全体構造の模式図である。
【図２】図２は図１におけるＡの構造模式図である
【図３】図３は図２におけるＢの構造模式図である
【図４】図４は図２におけるＣの構造模式図である。
【発明を実施するための形態】
【００１８】
図１〜図４に示すように、本発明による新型なワークのクランプにおける治具部品は、本体１００と前記本体１００の頂部の右側に設置された治具本体１２２とを含み、前記本体１００の頂部の左側と中間に第１の取付け座１４１及び第２の取付け座１４６がそれぞれ固定接続され、前記第１の取付け座１４１と前記第２の取付け座１４６の中に横方向移動ねじ棒１４２が水平に穿設され、前記横方向移動ねじ棒１４２の左側に横方向移動ハンドル１４０が固定接続され、前記横方向移動ねじ棒１４２には前記第１の取付け座１４１と前記第２の取付け座１４６の中間にある頂板１４３及び第１のＶ型ブロック取付け座１４５がねじ結合して接続され、前記頂板１４３は前記第１のＶ型ブロック取付け座１４５に固定接続されて前記本体１００の頂端と摺動接触され、前記第１のＶ型ブロック取付け座１４５に第１のＶ型ブロック１４４が固着され、前記治具本体１２２には前記第１のＶ型ブロックと面一になる第２のＶ型ブロック１４７が固定接続され、前記本体１００内には水平に展延した第１のガイドスライド溝１０１が設けられ、前記治具本体１２２内には左右対称に配置された弧状レール溝１２０が設けられ、前記弧状レール溝１２０の底部内壁内にはそれと連通するとともにそれに沿って展延した歯車レール溝１２１が連通して設けられ、前記弧状レール溝１２０の後端内壁には連動体チャンバー１２８が連通して設けられ、前記連動体チャンバー１２８の底部末端は前記第１のガイドスライド溝１０１の頂部内壁に連通し、前記第１のガイドスライド溝１０１内には左右対称に配置された第１のガイドスライドブロック１２３が摺接され、前記第１のガイドスライドブロック１２３内に六角回転軸チャンバー１２７が垂直に穿設され、前記第１のガイドスライドブロック１２３内には前記六角回転軸チャンバー１２７を水平に貫通するウォームホイールチャンバー１２５が設けられ、前記ウォームホイールチャンバー１２５内には雌六角ウォームホイール１２６が回転結合して接続され、前記雌六角ウォームホイール１２６内には前記ウォームホイールチャンバー１２５内にあって垂直に展延した六角回転軸１２４が摺接され、前記六角回転軸１２４の頂部の展延した末端が前記連動体チャンバー１２８内に伸び込み、前記第１のガイドスライド溝１０１内には前記第１のガイドスライドブロック１２３を貫通するとともに前記雌六角ウォームホイール１２６の後端にあってそれと伝動接続されて水平に展延した第１のウォーム１０３が設けられ、前記第１のウォーム１０３の左端末端に締付ハンドル１４８が固定接続され、前記弧状レール溝１２０内に第３のガイドスライドブロック１１６が摺接され、前記第３のガイドスライドブロック１１６の底部端面内に前記歯車レール溝１２１へ開口する凹形溝１１５が設けられ、前記凹形溝１１５内には前後に展延した第１の回転軸１１４が回動結合して接続され、前記第１の回転軸１１４には前記歯車レール溝１２１に伝動接続するための歯形ギヤ１１３が設けられ、前記第１の回転軸１１４の後端の展延した末端が前記第３のガイドスライドブロック１１６の後端端面を貫通して前記連動体チャンバー１２８内に伸び込み、前記第１の回転軸１１４には前記連動体チャンバー１２８内にある連動体１２９が回転結合して接続され、前記第３のガイドスライドブロック１１６の前記治具本体１２２の中心線から離れた端に弧状締付部１１８が固定接続され、前記弧状締付部１１８の前記治具本体１２２の中心から離れた端が前記治具本体１２２の対応する端面を貫通し、前記連動体１２９内に連動チャンバー１３１が設けられ、前記第１の回転軸１１４は前記連動チャンバー１３１を貫通しかつその内部にある部分に連動ウォームホイール１３２が設けられ、前記連動体１２９の底部内壁体内には前記連動ウォームホイール１３２の左端にあってそれと伝動接続されて垂直に展延した第２のウォーム１３３が回転結合して接続され、前記第２のウォーム１３３の底部末端が前記連動体１２９の底部端面に伸び込んで前記六角回転軸１２４の頂部端面に固定接続されている。
【００１９】
有益的には、前記第１のガイドスライドブロック１２３は前記第１のウォーム１０３に締まり嵌めて接続されている。
【００２０】
有益的には、前記第１のウォーム１０３の中心の両端のねじ山の回転方向が反対である。
【００２１】
有益的には、前記第１のウォーム１０３、前記第２のウォーム１３３及び前記横方向移動ねじ棒１４２は自動ロック条件を満たしている。
【００２２】
有益的には、前記第１のガイドスライドブロック１２３が互いに反対して移動する場合は、前記弧状締付部１１８が前記弧状レール溝１２０内から滑り出すが、前記第１のガイドスライドブロック１２３が互いに対向して移動する場合は、前記弧状締付部１１８が前記弧状レール溝１２０内に滑り込む。
【００２３】
本発明の機器は初期状態にある場合に、前記頂板１４３及び前記第１のＶ型ブロック１４４が最も左側に位置し、２つの前記第１のガイドスライドブロック１２３が互いに接触して前記第１のガイドスライド溝１０１の中心位置にあり、前記第３のガイドスライドブロック１１６が前記弧状レール溝１２０の前記治具本体１２２の中心に近い端にあり、この場合に、前記弧状締付部１１８が完全に前記弧状レール溝１２０内にある。
【００２４】
本発明の機器は円柱形ワークをクランプする時に、第１のステップではワークを位置決め、前記横方向移動ハンドル１４０を回動し、前記頂板１４３及び前記第１のＶ型ブロック１４４を右へ移動させ、ワークを前記第１のＶ型ブロック１４４及び前記第２のＶ型ブロック１４７にセットし、ワークを刃物に対して適当に位置付け、ワークの末端を前記頂板１４２の右端に緊密に接触させる。
【００２５】
第２のステップではワークを締め付け、前記締付ハンドル１４８を回動して前記第１のウォーム１０３の回転を駆動し、前記第１のウォーム１０３により前記雌六角ウォームホイール１２６の回転を駆動し、前記雌六角ウォームホイール１２６により前記六角回転軸１２４の回転を駆動し、その結果、前記第１の回転軸１１４の回転を駆動することができ、前記第１の回転軸１１４により前記歯形ギヤ１１３の回転を駆動し、前記第３のガイドスライドブロック１１６を中間から離れるように移動させ、前記六角回転軸１２４が前記雌六角ウォームホイール１２６内を上下に摺動自在であることで、前記弧状締付部１１８を前記弧状レール溝１２０から滑り出させることができ、２つの前記弧状締付部１１８を組み合わせることによりワークを次第に締め付け、前記弧状締付部１１８がワークを完全に締め付けると、前記締付ハンドル１４８の回動を停止し、自動ロック機能により、前記弧状締付部１１８をワーク締付状態のままにする。
【００２６】
ワークを取り外す必要がある場合には、前記締付ハンドル１４８を逆方向に回動し、前記第１のウォーム１０３を逆方向に回転させ、その結果、前記第１の回転軸１１４の回転を駆動することができ、前記第１の回転軸１１４により前記歯形ギヤ１１３の回転を駆動し、前記第３のガイドスライドブロック１１６を中間へ移動させ、前記弧状締付部１１８を前記弧状レール溝１２０に滑り込ませ、最後に前記弧状締付部１１８を前記弧状レール溝１２０に完全に収容し、この場合に、ワークを取り出し、前記横方向移動ハンドル１４０を逆方向に回動し、前記頂板１４３及び前記第１のＶ型ブロック１４４を左へ移動させ、装置を初期状態に復元する。
【００２７】
本発明の有益な効果は下記の通りである。本発明の機器は初期状態にある場合に、前記頂板及び前記第１のＶ型ブロックが最も左側に位置し、２つの前記第１のガイドスライドブロックが互いに接触して前記第１のガイドスライド溝の中心位置にあり、前記第３のガイドスライドブロックが前記弧状レール溝の前記治具本体の中心に近い端にあり、この場合に、前記弧状締付部が完全に前記弧状レール溝内にあり、メンテナンスとクリーニングが便利である。
【００２８】
本発明の機器は円柱形ワークをクランプする時に、第１のステップではワークを位置決め、前記横方向移動ハンドルを回動し、前記頂板及び前記第１のＶ型ブロックを右へ移動させ、ワークを前記第１のＶ型ブロック及び前記第２のＶ型ブロックにセットし、ワークを刃物に対して適当に位置付け、ワークの末端を前記頂板の右端と緊密に接触させ、操作が便利で、様々なワーク系に適用される。
【００２９】
第２のステップではワークを締め付け、前記締付ハンドルを回動して前記第１のウォームの回転を駆動し、前記第１のウォームにより前記雌六角ウォームホイールの回転を駆動し、前記雌六角ウォームホイールにより前記六角回転軸の回転を駆動し、その結果、前記第１の回転軸の回転を駆動することができ、前記第１の回転軸により前記歯形ギヤの回転を駆動し、前記第３のガイドスライドブロックを中間から離れるように移動させ、前記六角回転軸が前記雌六角ウォームホイール内を上下に摺動自在であることで、前記弧状締付部を前記弧状レール溝から滑り出させることができ、２つの前記弧状締付部を組み合わせることによりワークを次第に締め付け、前記弧状締付部がワークを完全に締め付けると、前記締付ハンドルの回動を停止し、自動ロック機能により、前記弧状締付部をワーク締付状態のままにするが、クランプ効果が向上し、実用性に優れている。
【００３０】
ワークを取り外す必要がある場合には、前記締付ハンドルを逆方向に回動し、前記第１のウォームを逆方向に回転させ、その結果、前記第１の回転軸の回転を駆動することができ、前記第１の回転軸により前記歯形ギヤの回転を駆動し、前記第３のガイドスライドブロックを中間へ移動させ、前記弧状締付部を前記弧状レール溝に滑り込ませ、最後に前記弧状締付部を前記弧状レール溝に完全に収容し、この場合に、ワークを取り出し、前記横方向移動ハンドルを逆方向に回動し、前記頂板及び前記第１のＶ型ブロックを左へ移動させ、装置を初期状態に復元するが、実用性に優れ、操作が容易である。
【００３１】
本発明の機器は構造が簡単であり、Ｖ型ブロック及び頂板を用いることによりワークが位置決めされ、収容可能な弧状締付部によりワークが締め付けられ、クランプ操作が容易で、ワークの長さに応じて頂板の位置を調整することができ、様々な外円柱類ワーク系に適用され、実用性に優れ、良いクランプ効果がある。
【００３２】
以上、本発明の具体的な実施形態を説明したのに過ぎないが、本発明の保護範囲はこれに制限されず、創造性のある行為をせずに考え出された変更や置換は何れも本発明の保護範囲内に含まれるべきである。従って、本発明の保護範囲は特許請求の範囲に限定された保護範囲によるべきである。
【図１】
2019188584.tif 000003
【図２】
2019188584.tif 000004
【図３】
2019188584.tif 000005
【図４】
2019188584.tif 000006